(57)【要約】【課題】被介護者の膝を頂点として脚を折り曲げた状態にしたときでも足底部がマットレスと接するようにした介護用ベッドを提供する。  また、仰臥している被介護者のおむつを交換等する場合において、被介護者の脚を屈折させ脚および臀部とマットレスの間に空間を作り、介護者の作業負担を軽減する介護用ベッドを提供する。【解決手段】  基台の短手方向に配置して被介護者の膝裏部を支えるフットバーを配置し、該フットバーを所要の高さに移動する高さ移動手段を設け、被介護者の膝裏部をフットバーで支え膝を頂点として脚を折り曲げた状態にする。【選択図】        図１
2006000232.tif 000002
【特許請求の範囲】
【請求項１】
基台の短手方向に配置して被介護者の膝裏部を支えるフットバーを配置し、該フットバーを所要の高さに移動する高さ移動手段を設けたことを特徴とする介護用ベッド。
【請求項２】
上記請求項1記載の介護用ベッドにおいて、
前記高さ移動手段は、一端を回転駆動手段の回転軸に取り付け、他端を前記フットバーの端部に取り付けた支持アームであることを特徴とする介護用ベッド。
【請求項３】
上記請求項1記載の介護用ベッドにおいて、
前記高さ移動手段は、一端を前記フットバーの端部に取り付け、他端を前記基台の側面に取り付けた支持アームを固定する角度調整アームであることを特徴とする介護用ベッド。
【請求項４】
上記請求項1記載の介護用ベッドにおいて、
前記高さ移動手段は、回転駆動手段が発生する正逆回転駆動により上下動する上下摺動手段を備え、一端に前記フットバーを取り付けた支柱であることを特徴とする介護用ベッド。
【発明の詳細な説明】
【技術分野】
【０００１】
本発明は、介護用ベッドに関し、特に仰臥した被介護者の脚を容易に屈折させることができる介護用ベッドに関する。
【背景技術】
【０００２】
従来の介護用ベッドは、被介護者が上半身を起き上がらせた状態を支持するため被介護者の背部を受ける背底部を起伏自在とし、それに加え、背底部を立ち上がらせる際の被介護者の腹部の圧迫を避けるため背底部、腰部を受ける腰底部、大腿部を受ける第一の脚底部および脛部を受ける第二の脚底部を回動自在に連結してあるものが提案されている（例えば、特許文献１参照）。
【特許文献１】特開２００４−５７６８１号公報（段落「０００７」〜段落「０００８」、図３）
【発明の開示】
【発明が解決しようとする課題】
【０００３】
しかしながら、上述した従来の技術においては、被介護者が仰臥している場合に、介護用ベッドの第一の脚底部と第二の脚底部を山状にして膝を頂点として被介護者の脚を折り曲げた状態にしたとき、被介護者の足底部はマットレスに接していないため被介護者は自力で身体を移動することが困難であるという問題および膝を立てた状態に保つことができないという問題がある。
【０００４】
また、被介護者が平坦な状態で仰臥している場合は勿論であるが、介護用ベッドの第一の脚底部および第二の脚底部を山状にして膝を頂点として被介護者の脚を折り曲げた場合であっても第一の脚底部および第二の脚底部と被介護者の脚は接しているため空間はない。そのため、被介護者のおむつを交換等する場合において、介護者は被介護者の脚の下に手を挿入することが難しくその作業性は悪い。さらに、介護者が膝を頂点として被介護者の脚を手で折り曲げ、脚と第一の脚底部および第二の脚底部の間に空間をつくったとしてもなお作業性は悪い。したがって、介護者にとって介護用ベッドに仰臥している被介護者のおむつを交換する作業等は極めて作業性が悪く重労働であるという問題がある。
【０００５】
本発明は、このような問題を解決することを課題とする。
【課題を解決するための手段】
【０００６】
そのため、本発明は、被介護者の体を支えるフレームと、前記フレームの短手方向に配置して被介護者の膝裏部を支えるフットバーと、前記フットバーを所要の高さに移動する高さ移動手段を設けたことを特徴とする。
【発明の効果】
【０００７】
このようにした本発明は、被介護者の足底部をマットレスに接したまま膝を所要の高さに移動させ脚を屈折することができるので被介護者は自身の脚力で身体を移動することができる。
また、被介護者の膝を所要の高さに移動させた後、フットバーをマットレスに収めることにより膝を立てた状態に保つことができる。
【０００８】
さらに、被介護者の膝を所要の高さに移動させその脚の屈折状態を維持することもでき脚や臀部の下に空間を作ることができる。したがって、介護者は被介護者の脚や臀部の下に手を入れることができるようになりおむつの交換作業等が容易にできるという効果が得られる。
【発明を実施するための最良の形態】
【０００９】
以下、図面を参照して本発明による介護用ベッドの実施例を説明する。
【実施例】
【００１０】
図１と図３は本発明の第１の実施例を示す側面図であり、図２と図４は本発明の第１の実施例を示す平面図である。
１は、基台であり、その一端にヘッドボード（ヘッドフレーム）と他端にフットボード（フットフレーム）が取り付けられ、その上にはマットレス２を載置してある通常の形式のベッドである。また、マットレス２部分は曲折可能な形式のベッドであってもよく、従来からあるどのような形式のベッドであってもよい。
【００１１】
３は、フットバーであり、基台１の短手（幅）方向であって被介護者の膝を裏側から支えることができる位置であって、被介護者のほぼ膝の裏側に位置する箇所に配置し、その長さは被介護者の膝を裏側から支えることができる長さであればよい。なお、本実施例では、フットバー３の長さは基台１の短手方向の長さと同じにしてある。
また、フットバー３には支持材４がありその周囲（少なくとも上面）にクッション材５を取り付けてある。たとえば、支持材４は、被介護者の脚を支えることができる強度を有する金属製のロールであり、クッション材５は肌触りが良く、通気性の良いものが望ましくマットのようなものである。なお、本実施例では、フットバー３の形状を円柱形状で説明したがそれに限らず平板形状のもの、つまり、平板形状の支持材４の上面にクッション材５を取り付けたものであってもよい。
【００１２】
さらに、被介護者が平坦な状態で仰臥する場合に、被介護者の脚を水平に保つことができるようにフットバー３を収めることができる凹部７をマットレス２に設けてある。なお、上記した平板形状の支持材４等の場合には、この凹部７を形成しなくてもよい。
６は、支持アームであり、フットバー３と後述する回転駆動手段からの回転駆動を伝動する回転軸１０を連結する。支持アーム６の基端は回動自在に回転軸１０に取り付け、他端はフットバー３の支持材４の端部に取り付けてある。さらに、支持アーム６は基台１の両側面にそれぞれ一本ずつ備え、基台１の両側面で回転軸１０とフットバー３の支持材４の両端部を連結している。なお、本実施例では支持アームは２本で支持する構造として説明するが片側の１本で支持する構造としてもよい。
【００１３】
被介護者の膝を頂点として脚を屈折させる場合は、支持アーム６を上方向に回動させフットバー３を上方向に移動させる。なお、支持アーム６の基端は図面では基台１の被介護者の腰部側（頭部側）になるように配置させて説明したが、それに限らず踵部側（足部側）に配置させてもよい。
１０は、回転軸であり、基台１の両側面に回動自在に取り付けてある２本の支持アーム６を連結するものであり、２本の支持アーム６の回動を連動させる。回転軸１０はフットバー３と平行に配置し、これを回転させることにより２本の支持アーム６を連動して回動させ、フットバー３を上下方向に移動すること、つまり、高さ自在とすることができる。
【００１４】
１１は、ウォームホイールであり、図２示すように回転軸１０の中央部に固着する。
１２は、ウォームであり、ウォームホイール１１と噛み合わせて回転伝達手段としている。ウォーム１２を回転させることによりウォームホイール１１を固着した回転軸１０を回転させ、支持アーム６を回動させることができる。
１３は、電動モータであり、正逆回転可能な回転駆動手段である。電動モータ１３は、図示しないスイッチにより正逆回転の切り換えおよび回転動作のオンオフを制御できるようにしてある。また、電動モータ１３の駆動軸にはウォーム１２が固設してある。
【００１５】
上記のように構成して、電動モータ１３を駆動しウォーム１２とウォームホイール１１の歯車列により支持アーム６を回動させフットバー３を上方向および下方向へ移動させる。
なお、本実施例では回転伝達手段をウォームとウォームホイールで構成している例で説明したがこれに限られるものでなくラックおよびピニオン等で構成してもよい。また、回転軸１０に電動モータ１３を直接接続してもよい。さらに、電動モータに換え手動のハンドル等で駆動させてもよい。
【００１６】
上述した構成の作用について説明する。
平坦な状態で仰臥している被介護者の膝を頂点として脚を屈折させる場合、まず、凹部７に収められたフットバー３を上方向へ移動させるため、電動モータ１３を回転させ、支持アーム６を上方向へ回動させる。そして、被介護者の脚の屈折状態により、所要の高さが決定した位置で電動モータ１３の回転を停止する。これによりフットバー３に支えられた被介護者の膝を所要の高さにすることが可能となり、足底部をマットレス２に接した状態で膝を頂点として脚の屈折状態が維持され脚の下に空間を形成することができる。さらに電動モータ１３を回転させ、支持アーム６を上方向へ回動させることにより臀部の下に空間を作ることもできる。
【００１７】
また、被介護者の膝を所要の高さにしてあり膝を頂点とし脚が屈折している状態から水平の状態にする場合は、電動モータを上記回転とは逆に回転させ支持アーム６を下方向に回動させフットバー３を下方向に移動させ凹部７に収める。なお、このとき脚が屈折している状態のまま、フットバー３を凹部７に収めれば膝を立てた状態をつくることもできる。
【００１８】
上記実施例では、電動モータ１３で支持アーム６を回動させる例で説明したが、図３および図４に示すように、手動で支持アーム６を回動させる構成としてもよい。以下にその構成を説明する。
支持アーム６の基端は基台１の側面に回動自在に取り付け、他端はフットバー３の支持材４の端部に取り付けてある。この支持アーム６は基台１の両側面にそれぞれ一本ずつ備え、基台１の両側面とフットバー３の支持材４の両端部で連結している。なお、本実施例では支持アームは２本で支持する構造で説明するが支持アームは片側の１本で支持する構造であってもよい。
【００１９】
被介護者が平坦な状態で仰臥する場合は、フットバー３はマットレス２の凹部７に収められ被介護者の脚は水平に保つことができる。また、被介護者の脚を屈折させる場合は、支持アーム６を上方向に回動させフットバー３を上方向に移動させる。なお、支持アーム６の基端は基台１の被介護者の腰部側に配置した構造で説明したが、それに限らず踵部側に配置してもよい。
【００２０】
３１は、角度調整アームであり、支持アーム６の角度を調整し所要の角度に固定するものである。角度調整アーム３１の基端は基台１に回動自在に取り付けてあり、また、先端部に固着したローラ３３を支持アーム６の側面に取り付けられたレール３２の凹部に収めて支持アーム６を固定することができる。前記凹部を複数設けることにより支持アーム６の角度、すなわち、フットバー３の高さを適宜選択することができる。なお、本実施例では角度調整アーム３１は２本で支持する構造として説明するが片側の１本で支持する構造としてもよい。
【００２１】
上述した構成の作用について説明する。
平坦な状態で仰臥している被介護者の膝を頂点として脚を屈折させる場合、まず、凹部７に収められたフットバー３を上方向へ移動させるため、支持アーム６を上方向へ回動させる。そして、被介護者の脚の屈折状態により、所要の高さが決定した位置で角度調整アーム３１のローラ３３をレール３２の凹部に嵌め合わせ固定する。これによりフットバー３に支えられた被介護者の膝を所要の高さにすることが可能となり、足底部をマットレス２に接したまま脚の屈折状態が維持され脚の下に空間ができる。さらに支持アーム６を上方向へ回動させることにより臀部の下に空間を作ることもできる。
【００２２】
また、被介護者の膝を所要の高さにしてあり膝を頂点とし脚が屈折している状態から水平の状態にする場合は、角度調整アーム３１のローラ３３をレール３２の凹部から外し支持アーム３３を下方向に回動させフットバー３を下方向に移動させ凹部７に収める。なお、このとき脚が屈折している状態のまま、フットバー３を凹部７に収めれば膝を立てた状態をつくることもできる。
【００２３】
図５は本発明の第２の実施例を示す側面図であり、図６は本発明の第２の実施例を示す平面図である。
尚、上述した第１の実施例と同様の部分は、同一の符号を付してその説明を省略する。
５１は、支柱であり、フットバー３を下方向から支える。支柱５１は、基台１に鉛直方向に上下摺動自在に設けてあり、その上端にはフットバー３を支持してある。また、その側面にはラック５４を形成してある。なお、本実施例では、支柱５１は図６に示すようにフットバー３の中心に配置し支持しているが、フットバー３の両端部に２本配置に支持するようにしてもよいし、片端部に１本配置して支持するようにしてもよい。
【００２４】
５２は、ピニオンであり、支柱５１のラック５４に噛合するように設けた上下摺動手段である。ピニオン５２の回転により支柱５１が上下に摺動する。
５３は、電動モータであり、正逆回転可能な回転駆動手段である。電動モータ５３は、図示しないスイッチにより正逆回転の切り換えおよび回転動作のオンオフを制御できるようにしてある。また、電動モータ５３の駆動軸にはピニオン５２が固設してある。
【００２５】
上記のように構成して、電動モータ５３を駆動しピニオン５２を回転することにより支柱５１が上下に摺動しフットバー３を上方向および下方向へ移動する。
なお、電動モータ５３に換えハンドル等で手動によりピニオン５２を正回転または逆回転させてもよい。なお、支柱５１にかかった負荷によりピニオン５２が逆回転しないよう動力を伝達させる部分の途中にラチェット機構等を挿入する。
【００２６】
上述した構成の作用について説明する。
平坦な状態で仰臥している被介護者が膝を頂点として脚を屈折させる場合、電動モータ５３を回転させることによりピニオン５２を回転させる。ピニオン５２の回転により噛合した支柱５１を上方向に摺動させ、フットバー３を上方向に移動させる。被介護者の脚の屈折状態により、所要の高さが決定した位置で電動モータ５３の回転を停止する。これにより被介護者の膝を所要の高さにすることが可能となり、足底部をマットレス２に接したまま脚の屈折状態が維持され、脚の下に空間ができる。さらに支柱５１を上方向へ摺動させることにより臀部の下に空間を作ることもできる。
【００２７】
また、被介護者の膝を所要の高さにしてあり膝を頂点とし脚が屈折している状態から水平の状態にする場合は、電動モータ５３を上記説明とは逆に回転させることによりピニオン５２を逆回転させる。ピニオン５２の逆回転により噛合した支柱５１を下方向に摺動させ、フットバー３を下方向に移動させ凹部７に収める。なお、このとき脚が屈折している状態のまま、フットバー３を凹部７に収めれば膝を立てた状態をつくることもできる。
【００２８】
上記実施例では、電動モータ５３でピニオン５２を回転させる例で説明したが、回転駆動手段を手動のハンドル等としピニオン５２を回転させてもよい。また、上下摺動手段をピニオンとラックで説明したが、支柱５１に設けたねじ軸と電動モータ５３で回転駆動するナットで構成してもよく、要するに支柱５１が上下動する構造であればどのような構造でもよい。
【００２９】
以上説明したように、第１の実施例および第２の実施例では、被介護者の足底部をマットレスに接した状態で膝を所望の高さに移動させ脚を屈折することができるので被介護者は自身の脚力で身体を移動することができるという効果が得られる。
また、被介護者の膝を所要の高さに移動させた後、フットバーをマットレスに収めることにより膝を立てた状態に保つことができるという効果が得られる。
【００３０】
さらに、被介護者の膝を所要の高さに移動させその脚の屈折状態を維持することもでき脚や臀部の下に空間を作ることができる。したがって、介護者は被介護者の脚や臀部の下に手を入れることができるようになりおむつの交換作業等が容易にできるという効果が得られる。
【図面の簡単な説明】
【００３１】
【図１】第１の実施例を示す側面図
【図２】第１の実施例を示す平面図
【図３】第１の実施例を示す側面図
【図４】第１の実施例を示す平面図
【図５】第２の実施例を示す側面図
【図６】第２の実施例を示す平面図
【符号の説明】
【００３２】
１    基台
２    マットレス
３    フットバー
４    支持材
５    クッション材
６    支持アーム
７    凹部
１０  回転軸
１１  ウォームホイール
１２  ウォーム
１３  電動モータ
３１  角度調整アーム
３２  レール
３３  ローラ
５１  支柱
５２  ピニオン
５３  電動モータ
５４  ラック
【図１】
2006000232.tif 000003
【図２】
2006000232.tif 000004
【図３】
2006000232.tif 000005
【図４】
2006000232.tif 000006
【図５】
2006000232.tif 000007
【図６】
2006000232.tif 000008